(57)【要約】      （修正有）【課題】回転中に機能変化を行うコマ玩具を提供すること。【解決手段】胴部４０の外周に攻撃用の張出し部４３ａを有するコマ玩具において、前記張出し部４３ａは、前記コマ玩具の回転方向の後側に向けて上り勾配を有するように水平面に対して所定の傾きを有する傾斜溝部分を持つガイド溝４７と当該ガイド溝４７に挿入される突子とを介して胴部本体に係合し、前記コマ玩具の回転中に前記張出し部４３ａが受ける力に応じて上下動することを特徴とする。【選択図】図１０
2018126424.tif 000002
【特許請求の範囲】
【請求項１】
胴部の外周に攻撃用の張出し部を有するコマ玩具において、
前記張出し部は、前記コマ玩具の回転中に当該張出し部が受ける力に応じて上下動することを特徴とするコマ玩具。
【請求項２】
前記張出し部は、前記コマ玩具の回転方向の後側に向けて上り勾配を有するように水平面に対して所定の傾きを有する傾斜溝部分を持つガイド溝と当該ガイド溝に挿入される突起とを介して胴部本体に係合し、前記コマ玩具の回転中に当該張出し部が受ける力の方向に応じて前記胴部本体に対して上下動することを特徴とする請求項１に記載のコマ玩具。
【請求項３】
前記ガイド溝は前記胴部本体側に形成され、前記突起は前記張出し部側に形成されていることを特徴とする請求項２に記載のコマ玩具。
【請求項４】
前記ガイド溝は、前記回転方向の後端部に、前記傾斜溝部分に連接された平坦溝部分、又は、前記傾斜溝部分よりも傾斜の緩やかな緩傾斜溝部分を有することを特徴とする請求項３に記載のコマ玩具。
【請求項５】
前記胴体本体は上板及び下板から構成され、前記上板及び前記下板にはそれぞれ溝壁形成部が形成され、前記上板と下板とを組み付けることで前記上板の溝壁形成部と前記下板の溝壁形成部とが合わさって前記ガイド溝が形成されることを特徴とする請求項３又は請求項４に記載のコマ玩具。
【請求項６】
前記張出し部を複数有し、この複数の前記張出し部は、前記胴体本体と同じ軸心を有するリングに形成されていることを特徴とする請求項５に記載のコマ玩具。
【発明の詳細な説明】
【技術分野】
【０００１】
本発明はコマ玩具に関するものである。
【背景技術】
【０００２】
コマ玩具を使用したバトルゲームとして、コマ玩具を互いに衝突させ、その衝撃力によって相手方のコマ玩具の回転を止めたり、相手方のコマ玩具を弾き飛ばしたり、相手方のコマ玩具を分解させたりするものがある。
【０００３】
このようなコマ玩具では、攻撃力や防御力を変更させるための工夫がされている。例えば、攻撃力や防御力を変更できる形状の張出し部を有するアタッチメントを玩具本体に取り付けたりしている（例えば、特許文献１）。
【先行技術文献】
【特許文献】
【０００４】
【特許文献１】実用新案登録第３０８３４４３号公報
【発明の概要】
【発明が解決しようとする課題】
【０００５】
ところが、特許文献１に開示されたアタッチメントの場合、当該アタッチメントを裏返して玩具本体に取り付けることによって、表と裏とで攻撃力や防御力を変化させるようにしている。しかしながら、この作業は面倒である。
【０００６】
本発明は、かかる点に鑑みなされたもので、回転中に機能変化を行うコマ玩具を提供することを目的とする。
【課題を解決するための手段】
【０００７】
第１の手段は、
胴部の外周に攻撃用の張出し部を有するコマ玩具において、
前記張出し部は、前記コマ玩具の回転中に当該張出し部が受ける力に応じて上下動することを特徴とする。前記コマ玩具の回転中に張出し部が受ける力には、慣性力、重力又は衝撃力が含まれる。この場合の、衝撃力は相手方のコマ玩具やフィールドを画成する壁などへの衝突によって生じる。
【０００８】
第２の手段は、第１の手段において、前記張出し部は、前記コマ玩具の回転方向の後側に向けて上り勾配を有するように水平面に対して所定の傾きを有する傾斜溝部分を持つガイド溝と当該ガイド溝に挿入される突起とを介して胴部本体に係合し、前記コマ玩具の回転中に当該張出し部が受ける力の方向に応じて前記胴部本体に対して上下動することを特徴とする。
【０００９】
第３の手段は、第２の手段において、前記ガイド溝は前記胴部本体側に形成され、前記突起は前記張出し部側に形成されていることを特徴とする。
【００１０】
第４の手段は、第３の手段において、前記ガイド溝は、前記回転方向の後端部に、前記傾斜溝部分に連接された平坦溝部分、又は、前記傾斜溝部分よりも傾斜の緩やかな緩傾斜溝部分を有することを特徴とする。
【００１１】
第５の手段は、第３の手段又は第４の手段において、前記胴体本体は上板及び下板から構成され、前記上板及び前記下板にはそれぞれ溝壁形成部が形成され、前記上板と下板とを組み付けることで前記上板の溝壁形成部と前記下板の溝壁形成部とが合わさって前記ガイド溝が形成されることを特徴とする。
【００１２】
第６の手段は、第５の手段において、前記張出し部を複数有し、この複数の前記張出し部は、前記胴体本体と同じ軸心を有するリングに形成されていることを特徴とする
【発明の効果】
【００１３】
第１の手段及び第２の手段によれば、コマ玩具の回転中に張出し部受ける力によって当該張出し部が上下動するので、相手方のコマ玩具から回転中に受ける衝撃力を緩和させたり、回転途中で攻撃機能を変化させたりすることができる。
【００１４】
第３の手段によれば、胴部本体側にガイド溝が形成されているため、張出し部の大きさによらずに広い範囲で張出し部を動作させることができる。
【００１５】
第４の手段によれば、平坦溝部分や緩傾斜溝部分と傾斜溝部分とでは抵抗が異なるので、序盤と終盤とで張出し部の動作に変化を持たせることができる。
【００１６】
第５の手段によれば、上板と下板それぞれに溝壁形成部を形成することで、突起と溝との係合構造を簡素化することができる。
【００１７】
第６の手段によれば、複数の張出し部をリングに形成しているため、その組立てが容易となる。
【図面の簡単な説明】
【００１８】
【図１】実施形態に係るコマ玩具とコマ発射装置とを示した斜視図である。
【図２】第１実施形態のコマ玩具の遊び方を説明するための斜視図である。
【図３】第１実施形態のコマ玩具の半断面斜視図である。
【図４】第１実施形態のコマ玩具の分解斜視図で、半断面で示している。
【図５】第１実施形態のコマ玩具の胴部の斜視図である。
【図６】第１実施形態のコマ玩具の上板を下方から見た状態の斜視図である。
【図７】第１実施形態のコマ玩具の下板を上方から見た状態の斜視図である。
【図８】第１実施形態のコマ玩具のリングを上方から見た状態の斜視図である。
【図９】第１実施形態のコマ玩具の溝を説明するための図である。
【図１０】第１実施形態のコマ玩具の張出し部の動作を説明するため図であり、（Ａ）は下動したときの図、（Ｂ）は上動したときの図である。
【図１１】第２実施形態のコマ玩具の溝を説明するための図である。
【発明を実施するための形態】
【００１９】
以下、本発明のコマ玩具を図面に示した実施形態に基づいて説明する。
【００２０】
（第１実施形態）
図１は、第１実施形態のコマ玩具１及びコマ発射玩具６０を備えた玩具セットを示している。
このうちコマ玩具１は、いわゆるバトルゲームに使用することが可能なコマ玩具である。このコマ玩具１は、例えば、互いの衝突による衝撃力で相手方のコマ玩具１を図２に示すように分解させて遊ぶようなバトルゲームに使用される。
このコマ玩具１は、図３及び図４に示すように、軸部１０、フライホイール３０及び胴部４０によって構成されている。なお、図３及び図４ではコマ玩具１を半断面にして示しているが、図示しない半部は、軸心Ｘに対して軸対称となっている。なお、本明細書において上下、左右、前後は図４に示す方向を言うものとする。
【００２１】
図４に示すように、軸部１０は、下端部に回転軸１１、上下方向中間部に鍔１２、上端部に円筒体１３を備えている。
このうち鍔１２と円筒体１３とは一体に形成されている。円筒体１３の中央には柱体１４が設けられている。この柱体１４の上端部には前後２箇所のそれぞれに半径方向外方に張り出す爪１７が形成されている。この柱体１４は、軸下部１０ａに固定して設けられている。軸下部１０ａは、鍔１２側から回転軸１１の先端側に向けて段階的に縮径し、全体として略逆円錐状に形成されている。この軸下部１０ａは、図示はしないがねじ等によって鍔１２に固定されている。
鍔１２及び円筒体１３には、前後２箇所のそれぞれに孔１５が鍔１２及び円筒体１３に亘って形成されている。また、円筒体１３の外周面には、左右２箇所のそれぞれに突出部１６が形成されている。各突出部１６の外面は鍔１２の外周面と面一となっている。
【００２２】
また、軸部１０は円筒状の押圧部材１８を備えている。この押圧部材１８は、円筒体１３の内側で柱体１４を取り囲むようにして設置されている。押圧部材１８の下端部外周には、前後２箇所のそれぞれに半径方向外方に延びる脚部１８ａが形成されている。
【００２３】
このように構成された押圧部材１８は、図４に示すように、各脚部１８ａが上記孔１５から露出するように組み付けられる。この孔１５は脚部１８ａの上下方向の移動を許容するが、孔１５の上縁で上方への移動を規制している。また、押圧部材１８はスプリング１９によって上方に付勢され、常態では、押圧部材１８の上端面は円筒体１３の上端と略同一高さ位置にある。
なお、押圧部材１８の上面には、左右２箇所のそれぞれに半径方向に延びる凸条（突起）２０が形成されている。
【００２４】
フライホイール３０は環状に形成されている。フライホイール３０の底面内周側には軸部１０の鍔１２の外周部を下方から収容可能な環状段部３０ａが形成されている。このフライホイール３０の上面には左右の２箇所のそれぞれに上方に向けて張り出す突出部３１が形成されている。各突出部３１の下側部分には、軸部１０の突出部１６を下方から収容可能な凹部３２が形成されている。また、フライホイール３０の上面には、各突出部３１の直ぐ外側に上方に延びる舌片３３が形成されている。舌片３３は突出部３１よりも上方に突出している。
【００２５】
図５は、胴部４０を上方から見た斜視図、図６は、上板４１を下方から見た斜視図、図７は、下板４２を上方から見た斜視図、図８は、リング４３を上方から見た斜視図である。
胴部４０は、上板４１、下板４２及びリング４３を備えている。なお、以下「回転方向上流」とはコマ玩具１の回転方向前側を、「回転方向下流」とはコマ玩具１の回転方向後側を言うものとする。
上板４１の中央には円形の孔４１ａが形成されている。また、上板４１の下側の孔４１ａの縁には、軸心を挟んで互いに対峙する２箇所のそれぞれに半径方向内方に張り出す突起４１ｂが形成されている。この突起４１ｂは図４に示す円筒状の飾り部品４４を取り付けるためのものである。すなわち、実施形態では、自他のコマ玩具１を識別するための飾り部品４４が用意されている。この飾り部品４４として、互いに上面の色や形状が異なるものが複数用意されている。この飾り部品４４は円柱形で外周面に上記突起４１ｂが嵌まり込む溝４４ａが形成されている。そして、溝４４ａの入り口と突起４１ｂとを上下方向で合致させた後、飾り部品４４を所定方向に回転させて溝４４ａの縁と突起４１ｂとを係合させることで、飾り部品４４が上板４１に取り付けられる。
また、上板４１には、フライホイール３０の舌片３３を下方から挿入可能な弧状スリット４１ｃが、軸心を挟んで互いに対峙する２箇所のそれぞれに形成されている。各スリット４１ｃの幅は、円周方向の一端側が広く、他端側が狭くなっている。
さらに、上板４１の下側には、軸心を挟んで互いに対峙する２箇所のそれぞれに円筒状のボス４１ｄが形成されている。ボス４１ｄの孔の内面には雌ねじ（図示せず）が形成されている。
また、上板４１の下面は軸心と直交する面（水平面）を構成している。この上板４１の下面外周部には下方に突出する突出片４１ｅが計６個形成されている。各突出片４１ｅは下方から見て弧状に形成されている。また、各突出片４１ｅは、半径方向外方から見て鋸歯状に形成されている。すなわち、各突出片４１ｅは、回転方向上流端に位置し上板４１の下面と直角をなす垂下面４１ｌと、回転方向上流部に位置し垂下面４１１の下端に連なるとともに軸心に直交する平坦面４１２と、回転方向下流側に位置し平坦面４１２に連なり回転方向上流側に向けて上昇する傾斜面４１３とを有する。この各突出片４１ｅは、隣り合う突出片４１ｅ，４１ｅの間に存する上板４１の下面と相まって溝壁形成部４１０を構成する。上板４１の下面外周部には、このような突出片４１ｅが円周方向に等間隔に計６個形成されている。
【００２６】
図７に示すように、下板４２には、上記孔４１ａの径と同じ大きさの内径を有する内側の環状壁（円筒部）４２ａが下方に突出して形成されている。環状壁４２ａの下端部内面には軸心を挟んで対峙する２箇所のそれぞれに爪４２ｂが半径方向内方に張り出して形成されている。さらに、各爪４２ｂの下面の端には、軸部１０の上記凸条２０に噛合する凹部が複数連続して形成された起伏部４２ｃが形成されている。
また、下板４２には、上板４１の各スリット４１ｃの下に位置する孤状スリット４２ｄと、上記上板４１の各ボス４１ｄが挿入される孔４２ｅとが形成されている。
また、下板４２の外周には外側の環状壁４１ｆが形成されている。そして、環状壁４１ｆには、壁の一部を切り欠いて形成された溝壁形成部４２０が設けられている。この溝壁形成部４２０は、垂下面４１１に当接する起立面４２１と、平坦面４１２に対向する平坦面と４２２と、傾斜面４１３に対向する傾斜面４２３と、隣り合う突出片４１ｅ，４１ｅの間に存する上板４１に対向する平坦面４２４とを連ねた組を円周方向に計６個並べて形成されている。
そして、この溝壁形成部４２０と上記溝壁形成部４１０とは、上板４１と下板４２とを互いに組付けた際に互いに噛合し合い、上板４１及び下板４２から構成される胴部本体の外周には図９に示すガイド溝４７が計６個形成される。
ここで、各ガイド溝４７について説明すれば、各ガイド溝４７は、回転方向上流側から後端側に向けて上昇する傾斜溝部分４７ａと、回転方向下流部に位置し前記傾斜溝部分４７ａに連なる平坦溝部分４７ａとを有する。
【００２７】
リング４３の外周には半径方向外方に張り出す攻撃用の張出し部４３ａが円周方向に等間隔に計６個形成されている。張出し部４３ａの上面はほぼ平坦となっている。一方、張出し部４３ａの下面は、リング４３の半径方向外方から見ると、下面が回転方向上流端から回転方向下流側に向けて下降し、回転方向下流部が上昇している傾斜形状となっている。  
また、リング４３の内周には各ガイド溝４７に１つずつ挿入される突子４３ｂが形成されている。突子４３ｂは半径方向内方から見て菱形に形成されている。
このリング４３は次のようにして上板４１及び下板４２に組み付けられる。
すなわち、上板４１と下板４２とを組み付ける前に、例えば、上板４１を逆さにしておき、その上に逆さにしたリング４３を載せ、その上に下板４２を逆さにして載せる。そして、ワッシャ付きの雄ねじ（図示せず）を下板４２側から上板４１のボス４１ｄの雌ねじに螺合させる。これにより、リング４３が上板及び下板４２に組み付けられる。
【００２８】
次に、コマ玩具１全体の組立方法を説明する。
なお、ここでは、軸部１０と胴部４０それぞれの組立は、図４に示したように、既に終了しているものとする。
まず、軸部１０の突出部１６を下方からフライホイール３０の凹部３２に合致させるようにして、軸部１０とフライホイール３０を嵌合状態に組み付ける。次に、この組付け体を胴部４０に下方から近付ける。この際、上記組付け体のフライホイール３０の舌片３３をスリット４２ｄを通して胴部４０の弧状スリット４１ｃに挿入する。この状態は、軸部１０の爪１７と胴部４０の爪４２ｂとが上下方向で重なっていない状態である。この状態が結合解除状態である。その後、上記組付け体の軸部１０を胴部４０側に押圧する。すると、まず、フライホイール３０が胴部４０の下面に押し当てられる。さらに、軸部１０内のスプリング１９が縮み押圧部材１８が下がり、軸部１０の爪１７が胴部４０の爪４２ｂよりも上方に相対的に押し上げられる。そして、軸部１０をフライホイール３０と一体的に胴部４０に対して所定方向に回転させる。すると、軸部１０の爪１７と胴部４０の爪４２ｂとが上下で重なった状態となる。そして、軸部１０から手を離すと、軸部１０内のスプリング１９の付勢力によって、軸部１０の爪１７の下面と胴部４０の爪４２ｂの上面とが当接される。この状態、すなわち軸部１０の爪１７の下面と胴部４０の爪４２ｂの上面とが当接された状態が結合状態である。これにより、軸部１０とフライホイール３０及び胴部４０とが結合され、コマ玩具１が組み立てられる。
【００２９】
続いて、このコマ玩具１を使用しての遊び方の一例を説明する。
図１は、コマ玩具１を回転駆動させるコマ発射玩具の一例を示した斜視図である。
この遊び方の一例では、コマ玩具１を回転させて、相手方のコマ玩具１とバトルを行う。
この場合、コマ玩具１の回転力のチャージは、コマ発射玩具６０によって行われる。このコマ発射玩具６０は、内部に図示しない円板を備え、その円板を図示しないゼンマイばねで一の回転方向に付勢するとともに、円板の周囲に卷回させた図示しない紐をハンドル６１で引くと、円板が回転され、コマホルダー６２が回転するように構成されている。このコマホルダー６２の回転は、下方に突設されたフォーク６３によってコマ玩具１に伝達され、コマ玩具１を回転させる。この場合、フォーク６３は胴部４０の弧状スリット４１ｃに差し込まれ、孤状スリット４１ｃの狭幅側に係合する。そして、コマ発射玩具６０のハンドル６１を引き切ると、円板ひいてはコマホルダー６２の回転が停止する一方で、コマ玩具１は慣性力によって尚も回転するので、フォーク６３の傾斜面６３ａに倣ってコマ玩具１がコマホルダー６２から外れる。
【００３０】
このようにして発射されたコマ玩具１は所定のフィールドで所定方向に回転させられ、相手方のコマ玩具１に衝突すると、衝突による衝撃力によって、胴部４０には、軸部１０及びフライホイール３０の回転方向とは反対の方向の力が作用し、それによって、胴部４０が軸部１０及びフライホイール３０の回転方向に対して反対の方向に相対的に回転する。
すると、胴部４０下面の起伏部４２ｃと凸条２０とは、胴部４０に対して軸部１０が相対回転するに伴って、噛み合い位置を変更する。そして、係止解除位置に達すると、胴部４０の爪４２ｂが軸部１０の爪１７から外れるため、軸部１０内のスプリング１９の付勢力によって胴部４０が軸部１０から離反する。そして、コマ玩具１は、図２に示したように分解される。
【００３１】
このようにしてバトルの勝敗は決せられるが、バトル中或いはバトル前に張出し部４３ａは次のように動作する。
すなわち、図１０（Ａ）に示した状態にあるコマ玩具１は、相手方のコマ玩具と張出し部４３ａが衝突してコマ玩具１の下流側に向けて衝撃を受けると、張出し部４３ａが回転方向下流側上方に逃げて衝撃を吸収及び緩和する。一方で、衝撃を受けた張出し部４３ａが上昇して相手方のコマ玩具の胴部の上方に位置することになるので、相手方のコマ玩具を下方に打ち下ろすことになる。
また、コマ発射玩具１による回転力のチャージ中にはコマ玩具１が回転を始めるので、張出し部４３ａが回転方向下流側上方に移動する。なお、この場合、最初から張出し部４３ａを回転方向下流側上方に移動させ突子４３ｂをガイド溝の平坦溝部分４７ｂに位置させておいて回転力のチャージをしてもよい。その後、コマ玩具1を発射させると、胴部本体に衝撃を受けたときにリング４３ひいては張出し部４３ａに働く慣性力によって突子４３ｂがガイド溝の平坦溝部分４７ｂから外れ、張出し部４３ａが下降する。すると、コマ玩具１の重心が低くなるので、コマ玩具１の回転の安定性が増すとともに、張出し部４３ａが下がるので攻撃機能が変化することになる。
【００３２】
（第２実施形態）
図１１は第２実施形態のコマ玩具のガイド溝を示している。このコマ玩具のガイド溝４７は、回転方向上流側に位置する傾斜溝部分４７ａと、回転方向下流側に位置し傾斜溝部分４７ａよりも傾斜の緩やかな緩傾斜溝部分４７ｃとを有している。この場合の傾斜溝部分４７ａ及び緩傾斜溝部分４７ｃは回転方向下流側に向けて上り勾配を有している。
このようにガイド溝４７を傾斜溝部分４７ａ及び緩傾斜溝部分４７ｃで形成することによって次のような作用効果を奏することができる。
傾斜溝部分４７ａではコマ玩具１の回転速度が弱まる終盤に上昇していた張出し部４３ａが下降し易く、張出し部４３ａが最下位置に来たときには重心が安定し、長く回転を維持することができる。一方、緩傾斜部分４７ｃでは、抵抗が小さいので、コマ玩具１の回転速度が速い序盤において、相手方のコマ玩具から回転方向下流側に向けて攻撃を受けた際に回転方向下流側に張出し部４３ａが移動し易く、相手方のコマ玩具からの攻撃を受け流しやすい。特に、張出し部４３ａの下面が傾斜面となっている場合には相手方のコマ玩具からの攻撃を受け流しやすい。
【００３３】
なお、第１実施形態及び第２実施形態において、リング４３の重量、ガイド溝４７の傾斜及びガイド溝４７の溝縁の面状態等を適宜に選択することにより、コマ玩具１の回転が停止し正立している状態で、張出し部４３ａがリング４３の重量で最下位置まで下降するように設定することができる。また、同様の選択により、張出し部４３ａが溝縁の中間位置に留まるように設定することもできる。特に、第２の実施形態では、緩傾斜溝部分４７ｃに突子４３ｂが係合しているときには張出し部４３ａがそれに対応する位置に留まり、傾斜溝部分４７ａに突子４３ｂが係合しているときには重量で最下位置まで下降するように設定することができる。
【００３４】
以上、本発明の実施形態について説明したが、本発明は、かかる実施形態に限定されるものではなく、その要旨を逸脱しない範囲で、種々変形が可能であることは言うまでもない。
例えば、上記実施形態では、ガイド溝４７の傾斜溝部分４７ａをコマ玩具１の回転方向下流側に向けて上昇するように形成したが、両回転のコマ玩具では、ガイド溝４７を半径方向外方から見て台形状又は山状に形成してもよい。
また、６個の張出し部４３ａはリング４３に形成されているが、個々の張出し部４３ａが個々に胴部本体に組み付けられており、互いに独立して円周方向に往復移動可能となっていてもよい。
また、上記実施形態では、ガイド溝４７を鋸歯状の突出片４１ｅと当該突出片４１ｅに類似する形状の切欠き部とによって形成したが、ガイド溝の上半部を上板４１に形成し、下半部を下板４２に形成してもよい。要は、ガイド溝４７が形成されて突子４３ｂがガイド溝４７に挿入できることである。
【符号の説明】
【００３５】
１     コマ玩具
４１   上板
４２   下板
４３   リング
４３ａ  張出し部
４３ｂ 突子（突起）
４７   ガイド溝
４７ａ 傾斜溝部分
４７ｂ 平坦溝部分
４７ｃ 緩傾斜溝部分
【図１】
2018126424.tif 000003
【図２】
2018126424.tif 000004
【図３】
2018126424.tif 000005
【図４】
2018126424.tif 000006
【図５】
2018126424.tif 000007
【図６】
2018126424.tif 000008
【図７】
2018126424.tif 000009
【図８】
2018126424.tif 000010
【図９】
2018126424.tif 000011
【図１０】
2018126424.tif 000012
【図１１】
2018126424.tif 000013
【手続補正書】
【提出日】平成29年11月9日(2017.11.9)
【手続補正１】
【補正対象書類名】明細書
【補正対象項目名】０００７
【補正方法】変更
【補正の内容】
【０００７】
第１の手段は、
胴部の外周に攻撃用の張出し部を有するコマ玩具において、
前記張出し部は、前記コマ玩具の回転方向の後側に向けて上り勾配を有するように水平面に対して所定の傾きを有する傾斜溝部分を持つガイド溝と当該ガイド溝に挿入される突起とを介して胴部本体に係合し、前記コマ玩具の回転中に当該張出し部が受ける力の方向に応じて前記胴部本体に対して上下動するように構成され、
前記胴部本体は上板及び下板から構成され、前記上板及び前記下板にはそれぞれ溝壁形成部が形成され、前記上板と前記下板とを組み付けることで前記上板の溝壁形成部と前記下板の溝壁形成部とが合わさって前記ガイド溝が形成されるように構成され、
前記張出し部側には前記突起が形成されていることを特徴とする。
前記コマ玩具の回転中に張出し部が受ける力には、慣性力、重力又は衝撃力が含まれる。この場合の、衝撃力は相手方のコマ玩具やフィールドを画成する壁などへの衝突によって生じる。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
第２の手段は、第１の手段において、前記ガイド溝は、前記回転方向の後端部に、前記傾斜溝部分に連接された平坦溝部分、又は、前記傾斜溝部分よりも傾斜の緩やかな緩傾斜溝部分を有することを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
第３の手段は、第１の手段又は第２の手段において、前記張出し部を複数有し、この複数の前記張出し部は、前記胴部本体と同じ軸心を有するリングに形成されていることを特徴とする。
【手続補正７】
【補正対象書類名】明細書
【補正対象項目名】００１３
【補正方法】変更
【補正の内容】
【００１３】
第１の手段によれば、コマ玩具の回転中に張出し部受ける力によって当該張出し部が上下動するので、相手方のコマ玩具から回転中に受ける衝撃力を緩和させたり、回転途中で攻撃機能を変化させたりすることができる。
また、第１の手段によれば、胴部本体側にガイド溝が形成されているため、張出し部の大きさによらずに広い範囲で張出し部を動作させることができる。
さらに、第１の手段によれば、上板と下板それぞれに溝壁形成部を形成することで、突起と溝との係合構造を簡素化することができる。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
第２の手段によれば、平坦溝部分や緩傾斜溝部分と傾斜溝部分とでは抵抗が異なるので、序盤と終盤とで張出し部の動作に変化を持たせることができる。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
第３の手段によれば、複数の張出し部をリングに形成しているため、その組立てが容易となる。
【手続補正１２】
【補正対象書類名】特許請求の範囲
【補正対象項目名】全文
【補正方法】変更
【補正の内容】
【特許請求の範囲】
【請求項１】
胴部の外周に攻撃用の張出し部を有するコマ玩具において、
前記張出し部は、前記コマ玩具の回転方向の後側に向けて上り勾配を有するように水平面に対して所定の傾きを有する傾斜溝部分を持つガイド溝と当該ガイド溝に挿入される突起とを介して胴部本体に係合し、前記コマ玩具の回転中に当該張出し部が受ける力の方向に応じて前記胴部本体に対して上下動するように構成され、
前記胴部本体は上板及び下板から構成され、前記上板及び前記下板にはそれぞれ溝壁形成部が形成され、前記上板と前記下板とを組み付けることで前記上板の溝壁形成部と前記下板の溝壁形成部とが合わさって前記ガイド溝が形成されるように構成され、
前記張出し部側には前記突起が形成されていることを特徴とするコマ玩具。
【請求項２】
前記ガイド溝は、前記回転方向の後端部に、前記傾斜溝部分に連接された平坦溝部分、又は、前記傾斜溝部分よりも傾斜の緩やかな緩傾斜溝部分を有することを特徴とする請求項１に記載のコマ玩具。
【請求項３】
前記張出し部を複数有し、この複数の前記張出し部は、前記胴部本体と同じ軸心を有するリングに形成されていることを特徴とする請求項１又は請求項２に記載のコマ玩具。